(57)【特許請求の範囲】
【請求項１】
上枠、下枠及び左右一対の縦枠を四周枠組みして構成された開口枠と、
前記開口枠に移動可能に設けられた網戸と、
前記網戸に設けられた外れ止め装置と
を備えた建具において、
前記外れ止め装置は、
前記網戸を構成する下框に配設されるものであって、前記下枠のレールを跨るよう下端部に形成された開口溝部に前記レールが進入することを許容し、かつ前記開口溝部の一方の縁部に前記レールに向けて突出する突起が形成されたケースと、
下端部に係止片部が形成され、かつ前記レールを挟んだ状態で前記係止片部と前記突起との見込み方向の離間距離が前記レールの上端部の見込み幅よりも小さくなるセット位置と、前記離間距離が前記見込み幅よりも大きくなる解除位置との間で前記ケースに変位可能に配設された外枠部材と、
前記ケースにおいて第１位置と第２位置とに亘って前記下枠の長手方向に沿って変位可能に配設された連動部と
を備え、
前記連動部は、前記第２位置から前記第１位置に変位する場合に、前記外枠部材を押圧することで該外枠部材を前記下枠の長手方向の一方側に向けて移動させつつ下方に向けて移動させて前記セット位置に変位させる一方、前記第１位置から前記第２位置に変位する場合に、前記外枠部材を押圧することで該外枠部材を前記下枠の長手方向の他方側に向けて移動させつつ上方に向けて移動させて前記解除位置に変位させることを特徴とする建具。
【請求項２】
前記外枠部材は、
上方に向かうに連れて漸次前記下枠の長手方向の一方側に向けて傾斜する第１傾斜面と、
下方に向かうに連れて漸次前記下枠の長手方向の他方側に向けて傾斜する第２傾斜面と
を備え、
前記連動部は、前記第２位置から前記第１位置に変位する場合に前記第１傾斜面と摺接し、前記第１位置から前記第２位置に変位する場合に前記第２傾斜面と摺接することを特徴とする請求項１に記載の建具。
【請求項３】
前記連動部は、前記第１傾斜面と摺接する第１突部と、前記第２傾斜面と摺接する第２突部とを備えたことを特徴とする請求項２に記載の建具。
【請求項４】
前記ケースは、前記下枠の長手方向の一方側に向かうに連れて漸次下方に傾斜する係合孔部を有し、
前記外枠部材は、前記係合孔部に挿通する係合突部を備えたことを特徴とする請求項１に記載の建具。
【請求項５】
前記外枠部材は、車輪を回転自在に支持する内枠部材を内蔵し、かつ前記セット位置に変位した場合には、前記レールの上面を該車輪が転動可能な状態にさせる一方、前記解除位置に変位した場合には、前記レールの上面から該車輪を離隔させることを特徴とする請求項１に記載の建具。
【請求項６】
前記ケースは、突起片を有し、
前記突起片と離隔した状態で配設され、かつ該ケースが変形した場合に該突起片と当接可能な受部を備えたことを特徴とする請求項１に記載の建具。
【請求項７】
前記レールは、一部に切欠開口が形成されており、
前記外枠部材は、前記セット位置に変位する場合に前記切欠開口と対向することを特徴とする請求項１に記載の建具。
【発明の詳細な説明】
【技術分野】
【０００１】
本発明は、建具に関し、より詳細には、上枠、下枠及び左右一対の縦枠を四周枠組みして構成された開口枠と、この開口枠に移動可能に設けられた網戸と、この網戸に配設された外れ止め装置とを備えた建具に関するものである。
【背景技術】
【０００２】
従来、開口枠と網戸等の障子とを備える建具では、開口枠に対して障子をいわゆるけんどん式で装着するものがある。けんどん式とは、例えば開口枠において互いに対向する上枠と下枠とにそれぞれレールが形成されるとともに、障子の上框及び下框にそれぞれ差込溝が形成されており、上框の差込溝に上枠のレールを先に挿入し、その後、下框の差込溝に下枠のレールが挿入するように障子を落とし込むようにしたものである。
【０００３】
この種の建具においては、網戸が強風等により上方に浮き上がってレールから外れることを防止するために外れ止め装置が設けられている。このような外れ止め装置は、網戸の縦框の上部に取り付けられており、外れ止め部が上方に移動して上枠のレールを挟み込むようにして網戸がレールから外れることを防止している（例えば、特許文献１参照）。
【先行技術文献】
【特許文献】
【０００４】
【特許文献１】特開２００９−１２７３３５号公報
【発明の概要】
【発明が解決しようとする課題】
【０００５】
ところで、上記建具においては、網戸等の障子を開口枠にけんどん式で装着するために、網戸と上枠との離間距離は寸法誤差等により製品毎に異なるのが一般的である。
【０００６】
そのため、上述した外れ止め装置では、縦框の上部に取り付けて外れ止め部を上方に移動させているので、外れ止め部の上方への移動必要量は取付対象となる建具毎に異なることになってしまう。そこで、建具毎に外れ止め装置の取付個所を適宜調整する必要があった。
【０００７】
本発明は、上記実情に鑑みて、外れ止め装置の取付個所を適宜調整する必要がない建具を提供することを目的とする。
【課題を解決するための手段】
【０００８】
上記目的を達成するために、本発明に係る建具は、上枠、下枠及び左右一対の縦枠を四周枠組みして構成された開口枠と、前記開口枠に移動可能に設けられた網戸と、前記網戸に設けられた外れ止め装置とを備えた建具において、前記外れ止め装置は、前記網戸を構成する下框に配設されるものであって、前記下枠のレールを跨るよう下端部に形成された開口溝部に前記レールが進入することを許容し、かつ前記開口溝部の一方の縁部に前記レールに向けて突出する突起が形成されたケースと、下端部に係止片部が形成され、かつ前記レールを挟んだ状態で前記係止片部と前記突起との見込み方向の離間距離が前記レールの上端部の見込み幅よりも小さくなるセット位置と、前記離間距離が前記見込み幅よりも大きくなる解除位置との間で前記ケースに変位可能に配設された外枠部材と、前記ケースにおいて第１位置と第２位置とに亘って前記下枠の長手方向に沿って変位可能に配設された連動部とを備え、前記連動部は、前記第２位置から前記第１位置に変位する場合に、前記外枠部材を押圧することで該外枠部材を前記下枠の長手方向の一方側に向けて移動させつつ下方に向けて移動させて前記セット位置に変位させる一方、前記第１位置から前記第２位置に変位する場合に、前記外枠部材を押圧することで該外枠部材を前記下枠の長手方向の他方側に向けて移動させつつ上方に向けて移動させて前記解除位置に変位させることを特徴とする。
【０００９】
この発明によれば、網戸を構成する下框に外れ止め装置を配設することが可能となる。よって、網戸と開口枠の下枠との離間距離は寸法誤差等を考慮しても略一定しているので、外れ止め装置の取付個所を適宜調整する必要がない。
【００１０】
また、外枠部材がセット位置に変位することにより、レールを挟んだ状態での係止片部と突起との見込み方向の離間距離がレールの上端部の見込み幅よりも小さくなるので、網戸が開口枠から抜け出すことを抑制することができる。一方、外枠部材が解除位置に変位することにより、係止片部と突起との見込み方向の離間距離がレールの上端部の見込み幅よりも大きくなるので、網戸の網の張り替え等で網戸を開口枠から取り外す必要がある場合に、網戸を開口枠から容易に取り外すことができる。
【００１１】
また本発明は、上記建具において、前記外枠部材は、上方に向かうに連れて漸次前記下枠の長手方向の一方側に向けて傾斜する第１傾斜面と、下方に向かうに連れて漸次前記下枠の長手方向の他方側に向けて傾斜する第２傾斜面とを備え、前記連動部は、前記第２位置から前記第１位置に変位する場合に前記第１傾斜面と摺接し、前記第１位置から前記第２位置に変位する場合に前記第２傾斜面と摺接することを特徴とする。
【００１２】
この発明によれば、連動部が第２位置から第１位置に変位する場合に第１傾斜面と摺接することで外枠部材をセット位置に変位させることができる。また、連動部が第１位置から第２位置に変位する場合に第２傾斜面と摺接することで外枠部材を解除位置に変位させることができる。
【００１３】
また本発明は、上記建具において、前記連動部は、前記第１傾斜面と摺接する第１突部と、前記第２傾斜面と摺接する第２突部とを備えたことを特徴とする。
【００１４】
この発明によれば、第１突部若しくは第２突部で摺接することで、摺動抵抗を少なくし、セット位置から解除位置のへの変位、並びに解除位置からセット位置への変位をスムーズに行うことができる。
【００１５】
また本発明は、上記建具において、前記ケースは、前記下枠の長手方向の一方側に向かうに連れて漸次下方に傾斜する係合孔部を有し、前記外枠部材は、前記係合孔部に挿通する係合突部を備えたことを特徴とする。
【００１６】
この発明によれば、外枠部材の係合突部が、下枠の長手方向の一方側に向かうに連れて漸次下方に傾斜するケースの係合孔部に挿通しているので、係合孔部の延在方向に沿って外枠部材を変位させることができる。
【００１７】
また本発明は、上記建具において、前記外枠部材は、車輪を回転自在に支持する内枠部材を内蔵し、かつ前記セット位置に変位した場合には、前記レールの上面を該車輪が転動可能な状態にさせる一方、前記解除位置に変位した場合には、前記レールの上面から該車輪を離隔させることを特徴とする。
【００１８】
この発明によれば、外枠部材が車輪を回転自在に支持する内枠部材を内蔵しており、セット位置に変位した場合には、レールの上面を車輪が転動可能な状態にさせる一方、解除位置に変位した場合には、レールの上面から該車輪を離隔させるので、外枠部材がセット位置に変位している場合の網戸の移動の方が、外枠部材が解除位置に変位している場合の網戸の移動よりも抵抗を小さくすることができる。従って、利用者に対して網戸の移動操作性の違いにより、外枠部材が解除位置に位置しているかセット位置に位置しているかを認識させることができる。
【００１９】
また本発明は、上記建具において、前記ケースは、突起片を有し、前記突起片と離隔した状態で配設され、かつ該ケースが変形した場合に該突起片と当接可能な受部を備えたことを特徴とする。
【００２０】
この発明によれば、ケースが変形した場合に受部と突起片とが当接可能であるので、ケースの変形量を抑制できる。これにより、ケースの所定部位に応力が集中してしまうことを抑制でき、ケースの使用寿命の長大化を図ることができる。
【００２１】
また本発明は、上記建具において、前記レールは、一部に切欠開口が形成されており、前記外枠部材は、前記セット位置に変位する場合に前記切欠開口と対向することを特徴とする。
【００２２】
この発明によれば、外枠部材は、セット位置に変位する場合に切欠開口と対向するので、該切欠開口を通じて光等が進入することを抑制することができる。
【発明の効果】
【００２３】
本発明によれば、外れ止め装置の取付個所を適宜調整する必要がないという効果を奏する。
【図面の簡単な説明】
【００２４】
【図１】図１は、本発明の実施の形態である建具を室内側から見た外観図である。
【図２】図２は、本発明の実施の形態である建具の縦断面図である。
【図３】図３は、本発明の実施の形態である建具の横断面図である。
【図４】図４は、網戸用下框に配設された外れ止め装置のうち左側端部に配設された外れ止め装置を示す分解斜視図である。
【図５】図５は、網戸用下框に配設された外れ止め装置のうち左側端部に配設された外れ止め装置を示す分解斜視図である。
【図６】図６は、外れ止め装置を室内側から見た説明図である。
【図７】図７は、図６に示した状態の要部を右方側から見た説明図である。
【図８】図８は、連動部が左方に向けて移動する直前の外れ止め装置の要部を室外側から見た説明図である。
【図９】図９は、外れ止め装置を室内側から見た説明図である。
【図１０】図１０は、連動部が左方に向けて移動した場合の外れ止め装置の要部を室外側から見た説明図である。
【図１１】図１１は、図９に示した状態の要部を右方側から見た説明図である。
【図１２】図１２は、連動部が右方に向けて移動する途中の外れ止め装置の要部を室外側から見た説明図である。
【図１３】図１３は、外れ止め装置の要部を室内側から見た説明図である。
【図１４】図１４は、外れ止め装置の要部を室内側から見た説明図である。
【発明を実施するための形態】
【００２５】
以下に添付図面を参照して、本発明に係る建具の好適な実施の形態について詳細に説明する。
【００２６】
図１〜図３は、それぞれ本発明の実施の形態である建具を示すものであり、図１は室内側から見た外観図、図２は縦断面図、図３は横断面図である。ここで例示する建具は、戸建て住宅等の建物の外壁開口部に設けられ、かつ建物の室内空間と室外空間とを仕切る引違い窓であり、開口枠１０に障子２０と網戸３０とを支持させて構成されたものである。
【００２７】
開口枠１０は、上枠１１、下枠１２及び左右の縦枠１３を四周枠組みして構成されており、建物の外壁開口部に対してその縁部に沿うように設けられている。
【００２８】
上枠１１は、障子２０の上部を案内するための障子用上レール１１ａと、網戸３０の上部を案内するための網戸用上レール１１ｂとを有している。
【００２９】
下枠１２は、障子２０の下部を案内するための障子用下レール１２ａと、網戸３０の下部を案内するための網戸用下レール１２ｂとを有している。この網戸用下レール１２ｂの上端部には、見込み方向の一方側（室内側）に向けて突出する上端突起１２ｃが形成されており、かかる上端突起１２ｃを含む部分の見込み方向の長さが網戸用下レール１２ｂの最大見込み幅とされている。
【００３０】
障子２０は、上框２１、下框２２及び左右一対の縦框２３を四周框組みした框体の内部にガラスパネル等のパネル材２４が嵌め込まれて構成された面材で、室内外一組のものである。このような障子２０は、上框２１に形成された上差込溝２１ａに障子用上レール１１ａが差し込まれ、下框２２に形成された下差込溝２２ａに障子用下レール１２ａが差し込まれており、更に下差込溝２２ａに回転自在に配設された障子用戸車２５が障子用下レール１２ａの上面に転動可能に載置されている。これにより障子２０は、左右方向に沿って、すなわち上枠１１及び下枠１２の長手方向に沿って開閉移動が可能なものである。
【００３１】
網戸３０は、網戸用上框３１、網戸用下框３２及び左右一対の網戸用縦框３３を四周框組みした框の内部に網３４が張設された面材である。このような網戸３０は、室外側の障子２０よりも更に室外側に配置されており、網戸用上框３１に形成された網戸用上差込溝３１ａに網戸用上レール１１ｂが差し込まれ、網戸用下框３２に形成された網戸用下差込溝３２ａに網戸用下レール１２ｂが差し込まれることで、上記障子２０と同様に、上枠１１及び下枠１２の長手方向となる左右方向に沿って移動可能なものである。上記網戸３０の網戸用下框３２の内部における左右両端部には、外れ止め装置１が設けてある。
【００３２】
図４及び図５は、それぞれ網戸用下框３２に配設された外れ止め装置１のうち左側端部に配設された外れ止め装置１を示す分解斜視図である。尚、網戸用下框３２の右側端部に配設された外れ止め装置１は、左側端部に配設された外れ止め装置１と左右方向及び見込み方向に対称となる構造を有しているだけであるから、以下においては、左側端部に配設された外れ止め装置１について説明し、右側端部に配設された外れ止め装置１の説明を割愛する。
【００３３】
これら図４及び図５に示すように、外れ止め装置１は、ケース４０と、戸車機構部５０と、連動部６０とを備えて構成されている。
【００３４】
ケース４０は、例えば樹脂材により形成されるもので、ケース本体４０ａと端板部４０ｂとを備えて構成されている。
【００３５】
ケース本体４０ａは、見込み方向に沿って一対となる室内側板状部４１及び室外側板状部４２と、室内側板状部４１と室外側板状部４２との上端部の一部同士を連結する上部板状部４３と、室内側板状部４１と室外側板状部４２との左端部（下枠１２の長手方向の一方側の端部）同士を連結する左側板状部４５と、室内側板状部４１と室外側板状部４２との右端部（下枠１２の長手方向の他方側の端部）同士を連結する右側板状部４４とを備えて構成されている。
【００３６】
室内側板状部４１は、室外側板状部４２と対向して配置されるものである。これ以降において、下枠１２の長手方向の一方側を左方、他方側を右方として説明する。この室内側板状部４１は、上部板状部４３に連結される部分よりも右方側の上端部が切り欠かれて切欠部位が形成されている。
【００３７】
このような室内側板状部４１には、下端突起４１１、室内側係合孔（係合孔部）４１２及び室内側案内孔４１３が形成されている。下端突起４１１は、室内側板状部４１の下端部から室外側に向けて突出するように設けられており、この下端突起４１１の上方に上述した切欠部位が形成されている。
【００３８】
室内側係合孔４１２は、室内側板状部４１における切欠部位よりも左方側において、左方に向かうに連れて漸次下方に傾斜するよう形成された矩形状の長孔である。室内側案内孔４１３は、室内側係合孔４１２の下方域において左方に向かうに連れて漸次下方に傾斜するよう形成された長孔である。室内側案内孔４１３は、室内側係合孔４１２に対し平行となるように形成されている。この室内側案内孔４１３は、室内側係合孔４１２よりも幅が大きく、かつ左右両端縁部が湾曲している。
【００３９】
室外側板状部４２は、上部板状部４３に連結される部分よりも右方側の上端部が切り欠かれて切欠部位が形成されている。
【００４０】
このような室外側板状部４２には、突起片４２１、室外側係合孔（係合孔部）４２２及び案内切欠部４２３が形成されている。突起片４２１は、室外側板状部４２の右端側上端部において上方に向けて延在した突起支持部４２４に室内側に向けて突出するよう形成されている。
【００４１】
室外側係合孔４２２は、室外側板状部４２における切欠部位よりも左方側において室内側係合孔４１２に対向して形成されている。この室外側係合孔４２２は、左方に向かうに連れて漸次下方に傾斜するよう形成された矩形状の長孔である。
【００４２】
案内切欠部４２３は、室外側係合孔４２２の下方域において室内側案内孔４１３に対向する領域を含む部分に形成されており、切欠上端縁部４２３ａ、切欠右端縁部（下枠１２の長手方向の他方側端縁部）４２３ｂ及び切欠左端縁部（下枠１２の長手方向の一方側端縁部）４２３ｃを備えている。切欠上端縁部４２３ａは、室外側係合孔４２２と平行となるように形成されており、その延在長さは、室外側係合孔４２２の延在長さよりも大きいものである。切欠右端縁部４２３ｂは、切欠上端縁部４２３ａの右端部より下方に向けて延在しており、室外側板状部４２の下端にまで達している。切欠左端縁部４２３ｃは、切欠上端縁部４２３ａの左端部より下方に向けて延在しており、室外側板状部４２の下端にまで達している。これにより案内切欠部４２３は、下方が開放されるように形成されている。
【００４３】
また、室外側板状部４２には、脚部４２５が設けられている。脚部４２５は、左右方向（下枠１２の長手方向）が長手方向となる長尺状の板状体であり、室外側板状部４２における案内切欠部４２３よりも左方側の下端部に連結されるとともに、端板部４０ｂの下端部に連結されている。この脚部４２５の右側端部は、室外側から見た場合に案内切欠部４２３の下方の一部を遮るように延在している。
【００４４】
右側板状部４４には、上端部の一部が開放されるようＵ字状の上側切欠部４４１が形成されるとともに、下端部の一部が開放されるようＵ字状の下側切欠部４４２が形成されている。左側板状部４５には、詳細は後述するが、調整ネジ４６を貫通させるための図示せぬ調整貫通孔が形成されている。また、左側板状部４５には、下端部の一部が開放されるようＵ字状の下側切欠部４５１（図５参照）が形成されている。
【００４５】
端板部４０ｂは、ケース本体４０ａの左側板状部４５に一体的に設けられた連結部Ｓを介してケース本体４０ａと一体的に設けられており、上下方向の長さがケース本体４０ａの上下方向長さよりも大きいものである。この端板部４０ｂには、端板切欠部４７１、調整孔４７２及び取付孔４７３が形成されている。
【００４６】
端板切欠部４７１は、右側板状部４４及び左側板状部４５の下側切欠部４４２，４５１に対向する個所に下端部の一部が開放されるようＵ字状に形成された切欠部分である。これにより、ケース４０においては、ケース本体４０ａの下方が開放されるとともに、右側板状部４４及び左側板状部４５に下側切欠部４４２，４５１が形成され、かつ端板部４０ｂに端板切欠部４７１が形成されることにより、開口溝部４０ｃが形成されている。また、端板部４０ｂの室外側下端部には上述した脚部４２５が連結されている。
【００４７】
調整孔４７２は、左側板状部４５の調整貫通孔に対応する個所に形成されたネジ孔であり、調整ネジ４６を挿通させるとともにその内壁面にて調整ネジ４６と螺合するものである。ここで調整ネジ４６は、戸車機構部５０における後述する車輪５４の上下位置を調整するためのものである。
【００４８】
取付孔４７３は、調整孔４７２よりも上方側に設けられたネジ孔である。この取付孔４７３は、網戸３０の左側の網戸用縦框３３の下部に形成された縦框貫通孔（図示せず）を貫通する図示せぬ取付ネジが挿通することで該取付ネジと螺合するものである。これにより、外れ止め装置１が網戸３０の網戸用下框３２の内部における左側端部に配設されることになる。
【００４９】
戸車機構部５０は、外枠部材５０ａと内枠部材５０ｂとを備えて構成されている。外枠部材５０ａは、例えば樹脂材により形成されるもので、見込み方向の寸法は、ケース４０の見込み方向の寸法よりも小さいものであり、ケース本体４０ａの内部に進入可能なものである。この外枠部材５０ａは、外枠基部５１と外枠係合片５２とを備えて構成されている。
【００５０】
外枠基部５１は、ケース本体４０ａと上下寸法が同等若しくは僅かに大きい板状体であり、係止片部５１１、第１傾斜面５１２、外枠貫通孔５１３、室外側係合突部（係合突部）５１４、室外側連結孔５１５及び案内突部５１６が形成されている。
【００５１】
係止片部５１１は、例えば複数（図示の例では３つ）設けられており、外枠基部５１の下端部に室内側に突出するよう設けられている。より詳細には、係止片部５１１は、外枠基部５１の下端部の左端部、右端部及び中央部分よりやや右側部分において、上下方向が長手方向となるよう室内側に突出して形成されている。それぞれの係止片部５１１の下端部は、下方に向かうに連れて漸次室外側に傾斜している。
【００５２】
第１傾斜面５１２は、外枠基部５１の右端面の上端側に形成されており、上方に向かうに連れて漸次左方に傾斜するよう形成されている。外枠貫通孔５１３は、第１傾斜面５１２の近傍となる外枠基部５１の右端側上端部に形成された異形孔である。この外枠貫通孔５１３の右側内壁面は、第１傾斜面５１２と平行となるように、下方に向かうに連れて漸次右方に傾斜する第２傾斜面５１３ａを構成している。
【００５３】
室外側係合突部５１４は、外枠基部５１の室外側面において室外側に突出するよう形成された矩形状のものである。この室外側係合突部５１４は、上記室外側係合孔４２２と同様に、左方に向かうに連れて漸次下方に傾斜して形成されている。
【００５４】
室外側連結孔５１５は、室外側係合突部５１４の下方域に形成された円形孔である。案内突部５１６は、室外側係合突部５１４と平行となるように、左方に向かうに連れて漸次下方に傾斜するよう形成された案内上端突部５１６ａと、案内上端突部５１６ａの右端部より下方に向けて延在する案内右端突部５１６ｂと、案内上端突部５１６ａの左端部より下方に向けて延在する案内左端突部５１６ｃと、案内右端突部５１６ｂと案内左端突部５１６ｃの下端部どうしを連結する案内下端突部５１６ｄとに形成されている。ここで案内上端突部５１６ａの延在長さは、上記切欠上端縁部４２３ａの延在長さよりも小さいものであり、その途中に上記室外側連結孔５１５が形成されている。
【００５５】
外枠係合片５２は、外枠基部５１の上端部より室内側に向けて延在する部分のうち左端側部分より下方に向けて延在するものであり、外枠基部５１の一部と対向している。この外枠係合片５２には、室内側係合突部（係合突部）５２１及び室内側連結孔５２２が形成されている。
【００５６】
室内側係合突部５２１は、外枠係合片５２の室内側面において上記室外側係合突部５１４に対応して形成されている。この室内側係合突部５２１は、左方に向かうに連れて漸次下方に傾斜するよう形成された矩形状のものである。室内側連結孔５２２は、室外側連結孔５１５に対向する個所に形成された円形孔である。
【００５７】
内枠部材５０ｂは、例えば樹脂材により形成されるもので、内枠基部５３を備えている。内枠基部５３は、左端部が外枠部材５０ａにおける外枠基部５１と外枠係合片５２との間に進入可能な板状体であり、連結突部５３１、当接突部５３２及び軸支孔５３３が形成されている。連結突部５３１は、内枠基部５３の左端部の略中央領域において室外側及び室内側に突出するよう形成された円筒状部位である。この連結突部５３１は、その外径が上記室外側連結孔５１５及び上記室内側連結孔５２２の内径よりも僅かに小さい大きさであり、これら室外側連結孔５１５及び室内側連結孔５２２に進入可能なものである。
【００５８】
当接突部５３２は、内枠基部５３の室内側面における連結突部５３１よりも右方側の個所において、室内側に突出するとともに上下方向に沿って延在する矩形状のものである。軸支孔５３３は、内枠基部５３の右側の中央部分、すなわち当接突部５３２よりも右方側の中央部分に形成されている。この軸支孔５３３は、車輪５４の中央部分の車輪用貫通孔５４１を貫通するピン５５の先端が挿入されて該ピン５５を軸支するものである。これにより車輪５４は、ピン５５の中心軸回りに回転可能なものである。
【００５９】
このような内枠部材５０ｂは、室外側の連結突部５３１を室外側連結孔５１５に貫通させるとともに室内側の連結突部５３１を室内側連結孔５２２に貫通させるようにして内枠基部５３の左端部を外枠基部５１と外枠係合片５２との間に挿入させることで外枠部材５０ａに内蔵される。この場合において、内枠部材５０ｂの当接突部５３２は、外枠部材５０ａの外枠係合片５２の右端面に当接している。
【００６０】
連動部６０は、例えば樹脂材により形成されるもので、連動基部６１、連動受部６２、第１連動突部６３及び第２連動突部６４を備えて構成されている。
【００６１】
連動基部６１は、連動部６０の中央部分よりやや右側に設けられており、連動挿入孔６１１を有する部位である。この連動基部６１の見込み方向の長さは、連動部６０における見込み方向の最大幅となっており、ケース本体４０ａの見込み方向の長さに略同等である。ここで連動基部６１の連動挿入孔６１１には、引手部７０の引手突起部７１が室内側から挿入されることで、連動部６０には引手部７０が連結されることになる。引手部７０は、例えば樹脂材により形成されたもので、室内側には操作入力部としての操作面７２が形成されている。かかる引手部７０が連結される場合、連動部６０における左端部の室内側面は、操作面７２（引手部７０）に覆われずに露出されている。
【００６２】
連動受部６２は、連動基部６１の下方に設けられた連動下端部６５の室外側部分より室外側に突出するよう設けられている。連動下端部６５は、左右方向が長手方向となる長尺状部位であり、上記ケース本体４０ａの右側板状部４４の上側切欠部４４１に進入可能な大きさを有している。
【００６３】
第１連動突部６３は、連動部６０の左端部における室外側面において室外側に突出するよう設けられている。第２連動突部６４は、連動部６０の左端縁部における室外側面において室外側に突出するよう設けられている。この第２連動突部６４は、第１連動突部６３よりも下方側であって、かつ左方側に形成されている。
【００６４】
上記内枠部材５０ｂを内蔵する外枠部材５０ａの室外側係合突部５１４をケース本体４０ａの室外側係合孔４２２に挿通し、かつ室内側係合突部５２１をケース本体４０ａの室内側係合孔４１２に挿通し、更に室外側連結孔５１５を貫通する室外側の連結突部５３１をケース本体４０ａの案内切欠部４２３に挿通し、かつ室内側連結孔５２２を貫通する室内側の連結突部５３１を室内側案内孔４１３に挿通することで、外枠部材５０ａは、ケース本体４０ａの内部において室内側係合孔４１２及び室外側係合孔４２２の延在方向に沿って変位可能に配設される。
【００６５】
そして、連動部６０の連動下端部６５をケース本体４０ａの右側板状部４４の上側切欠部４４１に右方側から進入させつつ、連動基部６１の下面を室内側板状部４１の切欠部位の上面、並びに突起支持部４２４の上面に摺動可能に載置させることで、連動部６０はケース４０に配設される。この場合において、連動部６０の第２連動突部６４を外枠部材５０ａの外枠貫通孔５１３に室内側から挿通させることで、連動部６０は、外枠部材５０ａを含む戸車機構部５０に対して下枠１２の長手方向、すなわち第１位置と第２位置とに亘って左右方向に沿って変位可能に係合し、これにより外れ止め装置１が形成される。ここで、第２位置は、第１位置よりも右方側となる位置である。
【００６６】
このような外れ止め装置１は、上述したように網戸３０の左側の網戸用縦框３３の下部に形成された縦框貫通孔（図示せず）と端板部４０ｂの取付孔４７３とを貫通する図示せぬ取付ネジが、網戸３０の網戸用下框３２に形成されたビスホールに螺合することで、網戸３０の網戸用下框３２の内部における左側端部に配設される。この場合において、図６及び図７に示すように、ケース４０の開口溝部４０ｃには、網戸用下レール１２ｂが進入しており、連動部６０の連動受部６２は、ケース本体４０ａの突起片４２１の下方側に位置し、所定距離だけ離隔している。
【００６７】
また、網戸用下框３２の室内側見付け面３２２に形成された下框開口部３２１に、室内側から引手部７０の引手突起部７１を進入させて連動部６０の連動挿入孔６１１に挿入させることで該連動部６０に引手部７０が連結される。この場合、引手部７０の操作面７２は、網戸用下框３２の室内側見付け面３２２よりも室内側に配置される。
【００６８】
図６及び図７に示すように、連動部６０を右方に移動させて第２位置に変位させる場合、外枠部材５０ａの室内側係合突部５２１が室内側係合孔４１２の右方側に位置し、室外側係合突部５１４も室外側係合孔４２２の右方側に位置している。また、室内側の連結突部５３１も室内側案内孔４１３の右方側に位置している。更に、案内突部５１６は案内切欠部４２３に進入して、案内上端突部５１６ａが切欠上端縁部４２３ａの右方側に位置しているとともに、案内右端突部５１６ｂが切欠右端縁部４２３ｂに接している。
【００６９】
この場合において、車輪５４は、網戸用下レール１２ｂから上方に離隔しており、外枠部材５０ａの係止片部５１１とケース４０の下端突起４１１との離間距離（下端突起４１１と、係止片部５１１において下端突起４１１に対向した部位との見込み方向の離間距離）は、網戸用下レール１２ｂの最大見込み幅よりも大きくなっている。従って、この状態では、外枠部材５０ａは網戸用下レール１２ｂと離脱可能であり、解除位置に配置されている。
【００７０】
そして、連動部６０を左方に向けて移動させる場合、図８に示すように、連動部６０の第１連動突部６３が外枠部材５０ａの第１傾斜面５１２に当接して該第１傾斜面５１２と摺接する。ここで第１傾斜面５１２は、上方に向かうに連れて漸次左方に傾斜するよう形成されており、しかも室外側係合突部５１４が室外側係合孔４２２に案内され、かつ室内側係合突部５２１が室内側係合孔４１２に案内され、更に室内側の連結突部５３１が室内側案内孔４１３に案内され、かつ案内上端突部５１６ａが切欠上端縁部４２３ａに摺接しながら案内されることで、連動部６０は、外枠部材５０ａを左方に押圧することで、該外枠部材５０ａを左方に向けて移動させつつ下方に向けて移動させる。
【００７１】
そのようにして、図９に示すように連動部６０を左方に移動させて第１位置に変位させる場合、外枠部材５０ａの室内側係合突部５２１が室内側係合孔４１２の左方側に位置し、室外側係合突部５１４も室外側係合孔４２２の左方側に位置している。また、室内側の連結突部５３１も室内側案内孔４１３の左方側に位置している。更に、案内上端突部５１６ａが切欠上端縁部４２３ａの左方側に位置しているとともに、案内左端突部５１６ｃが切欠左端縁部４２３ｃに接している。また、第１連動突部６３の下面が、図１０に示すように、外枠基部５１の上端面（外枠貫通孔５１３の上方に位置する端面）と接した状態となるため、外枠基部５１に対して連動部６０が下方に移動することを規制し、この状態を維持することができる。
【００７２】
この場合において、図１１に示すように、車輪５４は、網戸用下レール１２ｂの上面に載置されて転動可能な状態にある。また、外枠部材５０ａの係止片部５１１と、ケース４０の下端突起４１１との網戸用下レール１２ｂを挟んだ状態での離間距離（下端突起４１１と、係止片部５１１において下端突起４１１と対向した部位との見込み方向の離間距離）は、網戸用下レール１２ｂの最大見込み幅よりも小さくなっている。従って、この状態では、外枠部材５０ａはセット位置に配置されており、網戸３０が開口枠１０から外れることを規制している。つまり、外枠部材５０ａは、ケース４０（ケース本体４０ａ）に対して解除位置とセット位置との間で変位可能に配設されている。
【００７３】
また、外枠部材５０ａがセット位置に配置される場合、網戸用下レール１２ｂに水抜き等のために形成された矩形状の切欠開口１２ｄに対向して閉塞する。
【００７４】
一方、連動部６０を右方に向けて移動させる場合、図１２に示すように、連動部６０の第２連動突部６４が外枠部材５０ａの外枠貫通孔５１３の第２傾斜面５１３ａに当接して該第２傾斜面５１３ａと摺接する。ここで第２傾斜面５１３ａは、下方に向かうに連れて漸次右方に傾斜するよう形成されており、しかも室外側係合突部５１４が室外側係合孔４２２に案内され、かつ室内側係合突部５２１が室内側係合孔４１２に案内され、更に室内側の連結突部５３１が室内側案内孔４１３に案内され、かつ案内上端突部５１６ａが切欠上端縁部４２３ａに摺接しながら案内されることで、連動部６０は、外枠部材５０ａを右方側に押圧して右方に向けて移動させつつ上方に向けて移動させる。そのようにして、図６に示すように連動部６０を右方に移動させて第２位置に変位させることで、外枠部材５０ａの係止片部５１１とケース４０の下端突起４１１との離間距離は、網戸用下レール１２ｂの最大見込み幅よりも大きくなり、外枠部材５０ａを解除位置に変位させることができる。
【００７５】
以上説明したように、本実施の形態である建具によれば、外れ止め装置１が網戸用下框３２に配設されているので、網戸３０と下枠１２との離間距離は寸法誤差等を考慮しても略一定しているので、外れ止め装置１の取付個所を適宜調整する必要がない。しかも、外枠部材５０ａを常時下方に付勢するような付勢手段や付勢手段による付勢力を無効化するような部材も必要としないので、部品点数の増大を抑制できる。従って、製造コストの増大化を抑制し、かつ外れ止め装置１の取付個所を適宜調整する必要がない。
【００７６】
特に、上記建具によれば、連動部６０を左方に向けて移動させて第２位置から第１位置に変位させる場合に、外枠部材５０ａを左方に向けて押圧することで該外枠部材５０ａを左方に向けて移動させつつ下方に向けて移動させてセット位置に変位させる一方、連動部６０を右方に向けて移動させて第１位置から第２位置に変位させる場合に、外枠部材５０ａを右方に向けて押圧することで該外枠部材５０ａを右方に向けて移動させつつ上方に向けて移動させて解除位置に変位させるので、解除位置からセット位置に変位する際には外枠部材５０ａを左方にも移動させる一方、セット位置から解除位置に変位する場合には外枠部材５０ａを右方にも移動させることができる。これにより、セット位置と解除位置との変位移動の際に生ずる抵抗を小さくすることができ、外枠部材５０ａの変位をスムーズなものとすることができる。
【００７７】
上記建具によれば、外枠部材５０ａがセット位置に変位した場合には、網戸用下レール１２ｂの上面を車輪５４が転動可能な状態にさせる一方、解除位置に変位した場合には、網戸用下レール１２ｂの上面から車輪５４を離隔させるので、外枠部材５０ａがセット位置に変位している場合の網戸３０の移動の方が、外枠部材５０ａが解除位置に変位している場合の網戸３０の移動よりも抵抗を小さくすることができる。従って、利用者に対して網戸３０の移動操作性の違いにより、外枠部材５０ａが解除位置に位置しているかセット位置に位置しているかを認識させることができる。
【００７８】
上記建具によれば、連動部６０の連動受部６２がケース本体４０ａの突起片４２１の下方側に位置し、所定距離だけ離隔しているので、セット位置にて下端突起４１１の上面が網戸用下レール１２ｂの上端突起１２ｃの下面と当接した状態において、更に網戸３０に対して上方へ移動する力が作用してケース４０（ケース本体４０ａ）が変形した場合に、連動受部６２が突起片４２１に当接してケース４０の変形量を抑制できる。これにより、ケース本体４０ａにおける室内側板状部４１及び室外側板状部４２の切欠部位の湾曲部に応力が集中してしまうことを抑制でき、ケース４０の使用寿命の長大化を図ることができる。
【００７９】
上記建具によれば、外枠部材５０ａは、セット位置に変位した場合、網戸用下レール１２ｂに水抜き等のために形成された矩形状の切欠開口１２ｄに対向して閉塞するので、該切欠開口１２ｄを通じて室内側に光等が進入することを抑制することができる。
【００８０】
上記建具によれば、連動部６０は、引手部７０が連結される場合、左端部の室内側面は、操作面７２（引手部７０）に覆われずに露出されているので、図１３に示すように、連動部６０が右方に移動して第２位置に変位した状態においては左端部の室内側面の一部が下框開口部３２１から外部（室内側）に視認可能なものとすることができる。その一方、図１４に示すように、連動部６０が左方に向けて移動して第１位置に変位した状態においては下框開口部３２１を通じて連動部６０が露出されないようにすることができる。そのため、連動部６０自体を例えば赤色等に着色することで、利用者に対して視認性の違いにより、外枠部材５０ａが解除位置に変位しているかセット位置に変位しているかを認識させることができる。
【００８１】
以上、本発明の好適な実施の形態について説明したが、本発明はこれに限定されるものではなく種々の変更行うことができる。
【００８２】
上述した実施の形態では、連動受部６２がケース４０に形成された突起片４２１と当接可能なものであったが、本発明においては、受部は連動部に設けられている必要はなく、網戸の下框等に形成されていても良い。
【符号の説明】
【００８３】
１  外れ止め装置、  １０  開口枠、１２ｂ  網戸用下レール、１２ｃ  上端突起、２０  障子、３０  網戸、３２  網戸用下框、３２ａ  網戸用下差込溝、４０  ケース、４０ａ  ケース本体、４０ｃ  開口溝部、４１１  下端突起、５０  戸車機構部、５０ａ  外枠部材、５０ｂ  内枠部材、５１  外枠基部、５１１  係止片部、５１２  第１傾斜面、５１３  外枠貫通孔、５１３ａ  第２傾斜面、５４  車輪、６０  連動部、６２  連動受部、７０  引手部
【図１】
0006362485.tif 000002
【図２】
0006362485.tif 000003
【図３】
0006362485.tif 000004
【図４】
0006362485.tif 000005
【図５】
0006362485.tif 000006
【図６】
0006362485.tif 000007
【図７】
0006362485.tif 000008
【図８】
0006362485.tif 000009
【図９】
0006362485.tif 000010
【図１０】
0006362485.tif 000011
【図１１】
0006362485.tif 000012
【図１２】
0006362485.tif 000013
【図１３】
0006362485.tif 000014
【図１４】
0006362485.tif 000015